(57)【特許請求の範囲】
【請求項１】
周期律表の第Ｉｂ族又は第IIｂ族を含む導電体若しくは同族を導電体に被覆したものからなるカソード、及び不溶性金属からなる次亜塩素酸発生の可能なアノードを対とする１対又は複数対の電極を備えた窒素除去用電解槽と、
鉄電極をアノード及びカソードとする一対又は複数対の電極を有するとともにこれら電極の極性を反転可能としたリン除去用電解槽とを有し、
処理水を、前記窒素除去用電解槽を経由して前記リン除去用電解槽に流通させるようにしたことを特徴とする電解式汚水処理装置。
【請求項２】
前記窒素除去用電解槽と前記リン除去用電解槽とを仕切壁により分離した一体の槽として形成し、前記窒素除去用電解槽側に処理水流入管を設け、前記リン除去用電解槽側に処理水流出管を設けることを特徴とする請求項１記載の電解式汚水処理装置。
【請求項３】
前記リン除去用電解槽の底部に凝集物や汚泥を堆積するスペースを設けたことを特徴とする請求項２記載の電解式汚水処理装置。
【請求項４】
前記リン除去用電解槽の底部に散気管を設けたことを特徴とする請求項３記載の電解式汚水処理装置。
【請求項５】
カソード、及び不溶性金属からなる次亜塩素酸発生の可能なアノードを対とする１対又は複数対の電極を備えた窒素除去用電解槽と、
カソード、及び鉄アノードを対とする一対又は複数対の電極を有するリン除去用電解槽とを有し、
処理水を、前記窒素除去用電解槽を経由して前記リン除去用電解槽に流通させるようにしたことを特徴とする電解式汚水処理装置。
【請求項６】
処理水中の有機物を嫌気性微生物により嫌気分解する嫌気槽と、嫌気槽で嫌気処理された処理水を好気性微生物により好気分解する好気槽と、好気槽で好気分解された処理水を沈殿物と上澄み液とに分離する沈殿槽あるいは処理水槽と、沈殿槽あるいは処理水槽で分離された上澄み液を電解処理する請求項１〜５の何れか１項記載の電解式汚水処理装置と、電解式汚水処理装置で処理された処理水を前記嫌気槽に返送する配管とを備えたことを特徴とする汚水処理施設。
【発明の詳細な説明】
【０００１】
【発明の属する技術分野】
本発明は、汚水を浄化する汚水処理装置及び汚水処理施設に関し、特に汚水からリン及び窒素化合物を除去する汚水処理装置及び施設に関する。
【０００２】
【従来の技術】
この種汚水処理装置としては、例えば特開平１０−１９２８６９号公報に記載されたものが知られている。この汚水処理装置は、処理水中の有機物を嫌気性微生物により嫌気分解する第１及び第２嫌気濾床槽、第２嫌気濾床槽で嫌気処理された処理水を好気性微生物により好気分解する接触ばっ気槽（好気槽）、接触ばっ気槽で好気分解された処理水を沈殿物と上澄み液とに分離する沈殿槽、沈殿槽で分離された上澄み液を電解処理する電解式汚水処理装置、沈殿槽から溶出槽に移送する沈殿槽の上澄み液量を調節する分水量装置、沈殿槽の上澄み液を消毒してタンク外に排出する消毒槽などから構成されていた。
【０００３】
従来の汚水処理装置においては、リンの除去は次のようにして行われていた。溶出槽に鉄電極をアノード及びカソードとする一対又は複数対の電極を設け、これら電極の極性を反転可能として構成する。アノードとして作用する鉄電極から２価の鉄イオンを処理水中に供給する。処理水中に供給された２価の鉄イオンを酸化させて３価の鉄イオンとし、この３価の鉄イオンを処理水中のオルトリン酸と反応させて難溶性リン化合物として凝集沈殿させる。また、３価の鉄イオンが存在する溶出槽の処理水を第１嫌気濾床槽に返送し、この３価の鉄イオンを第１嫌気濾床槽内に存在するオルトリン酸と反応させて難溶解性リン酸化合物として凝集沈殿させる。そして、これら凝集沈殿物を排出することによりリンを除去していた。
【０００４】
また、上記従来の汚水処理装置において、窒素化合物の除去は次のようにして行われていた。第１嫌気濾床槽及び第２嫌気濾床槽で有機性の窒素をアンモニア性窒素に嫌気分解し、次ぎの処理槽である接触ばっ気槽において、硝酸菌や亞硝酸菌の働きによりアンモニア性窒素を硝酸性窒素や亞硝酸性窒素に分解する。次いで、溶出槽を経て第１嫌気濾床槽に返送されてきた硝酸性窒素や亞硝酸性窒素を、第１嫌気濾床槽に多く存在する脱窒菌により還元して窒素ガスとし、この窒素ガスを排出することにより窒素化合物を除去していた。
【０００５】
【発明が解決しようとする課題】
このように従来の汚水処理装置では、窒素化合物の除去は、接触ばっ気槽においてアンモニア性窒素を硝酸性窒素や亞硝酸性窒素に分解するという生物処理のみにより行われていた。しかし、冬場は外気温度の低下に伴い生物処理機能が低下し、窒素化合物の除去能力が低下するという問題があった。
【０００６】
本発明は、このような従来技術に存在する問題点に鑑みされたものである。その目的とするところは、リン及び窒素化合物の除去を目的とした汚水処理装置において、外気温度の低下に伴う窒素化合物の除去能力の低下を防止することにある。
【０００７】
【課題を解決するための手段】
上記課題を解決する第１手段に係る電解式汚水処理装置は、周期律表の第Ｉｂ族又は第IIｂ族を含む導電体若しくは同族を導電体に被覆したものからなるカソード、及び不溶性金属からなる次亜塩素酸発生の可能なアノードを対とする１対又は複数対の電極を備えた窒素除去用電解槽と、鉄電極をアノード及びカソードとする一対又は複数対の電極を有するとともにこれら電極の極性を反転可能としたリン除去用電解槽とを有し、処理水を、前記窒素除去用電解槽を経由して前記リン除去用電解槽に流通させるようにしたことを特徴とするものである。
【０００８】
このように構成すると、窒素除去用電解槽では、カソード側で硝酸イオン及び亞硝酸イオンが還元反応によりアンモニアに変換され、アノード側で不溶性金属の表面から活性酸素及び次亜塩素酸が発生し、処理水中のアンモニアの脱窒作用により窒素ガスが生成される。そして、この窒素ガスを放出することにより窒素が除去される。また、リン除去用電解槽では、アノードとして作用する鉄電極から２価の鉄イオンが処理水中に供給され、酸化されて３価の鉄イオンとなる。そして、この３価の鉄イオンは処理水中のオルトリン酸と反応して難溶性リン化合物として凝集沈殿する。したがって、この凝集沈殿物を廃棄することにより、リンが除去される。
【０００９】
窒素化合物の除去は、このように電解処理により行われるので、従来の汚水処理装置における生物処理のみによる窒素化合物の除去方法のように外気温度が低下する冬場において窒素化合物の処理能力が低下するおそれがない。また、リンの除去は、処理水中の硝酸イオン及び亞硝酸イオンが、窒素除去用電解槽内において還元反応によりアンモニアに変化されるので、後段側のリン除去用電解槽において硝酸イオン及び亞硝酸イオンにより鉄電極が不動態化されることがなく、長期間にわたり効率良く行われる。
【００１３】
また、上記第１の解決手段に係る電解式汚水処理装置において、前記窒素除去用電解槽と前記リン除去用電解槽とを仕切壁により分離した一体の槽として形成し、前記窒素除去用電解槽側に処理水流入管を設け、前記リン除去用電解槽側に処理水流出管を設けるようにしてもよい。
このように構成すると、電解式汚水処理装置の構成を簡略化することができコストを軽減することができる。
また、この場合において、リン除去用電解槽の底部に凝集物や汚泥を堆積するスペースを設けると、リン除去用電解槽で発生した難溶性リン化合物等からなる凝集物や汚泥をリン除去用電解槽の底部から容易に廃棄することができる。
さらに、この場合において、リン除去用電解槽の底部に散気管を設けてもよい。このようにすると、リン除去用電解槽に流入した処理水を撹拌することにより、リン除去用電解槽の汚泥が電極表面に付着して鉄の溶出効率が低下することを防止するとともに、散気管から供給される空気中の酸素を利用して電極から溶出した２価の鉄イオンをオルトリン酸と反応する３価の鉄イオンに酸化させることができ、リン除去効率を向上させることができる。
【００１５】
また、本発明に係る汚水処理施設は、処理水中の有機物を嫌気性微生物により嫌気分解する嫌気槽と、嫌気槽で嫌気処理された処理水を好気性微生物により好気分解する好気槽と、好気槽で好気分解された処理水を沈殿物と上澄み液とに分離する沈殿槽あるいは処理水槽と、沈殿槽あるいは処理水槽で分離された上澄み液を電解処理する請求項１〜５の何れか１項記載の電解式汚水処理装置と、電解式汚水処理装置で処理された処理水を前記嫌気槽に返送する配管とを備えたことを特徴とする。
このように構成すると、生物処理による窒素化合物の除去と、電解処理によるリン除去及び窒素化合物の除去とを同時に行うことができる。
【００１６】
【発明の実施の形態】
実施の形態１．
以下、本発明を汚水処理施設に具体化した実施の形態１につき、図１〜図４に基づいて説明する。なお、図１は汚水処理施設の全体構成図であり、図２は同汚水処理施設に用いられている電解式汚水処理装置の正面から見た構成図であり、図３は同電解式汚水処理装置における窒素除去用電解槽の側断面図であり、図４は同電解式汚水処理装置におけるリン除去用電解槽の側断面図である。
【００１７】
汚水処理施設１は、地中に埋設されたタンク１ａの内部を仕切り壁２、３、４、４ａにより第１嫌気濾床槽５、第２嫌気濾床槽６、接触ばっ気槽７、沈殿槽８、消毒槽９に区画して構成されている。また、沈殿槽８から第１嫌気濾床槽５への返送管８ｂに電解式汚水処理装置１０、分水計量装置１１が設けられている。
【００１８】
第１嫌気濾床槽５は、生活雑排水を受け入れる槽である。処理水流入口５ａから第１嫌気濾床槽５に流入した生活雑排水中に混入している難解性の夾雑物を沈殿分離し、第１嫌気濾床５ｂに付着した嫌気性微生物を嫌気分解する。また、有機性の窒素をアンモニア性窒素に分解する。嫌気分解された処理水は移送管５ｃにより第２嫌気濾床槽６に移送される。
【００１９】
第２嫌気濾床槽６は、内部に設けた第２嫌気濾床６ａにより浮遊物質を捕捉し、嫌気性微生物により有機物を嫌気分解するとともに、有機性の窒素をアンモニア性窒素に分解する。嫌気分解された処理水は間欠式空気圧式ポンプ６ｂにより移送管６ｃを介し接触ばっ気槽７に移送される。
【００２０】
接触ばっ気槽７は、内部に設けた接触材７ａにより好気性微生物の培養を促進している。また、接触ばっ気槽７は、底部に配設した散気管７ｂから空気を放出して接触ばっ気槽７内を好気状態に維持する。そして、処理水を好気性微生物により好気分解するとともに、硝酸菌や亞硝酸菌の働きによりアンモニア性窒素を硝酸性窒素や亞硝酸性窒素に分解する。
【００２１】
沈殿槽８は、接触ばっ気槽７で好気分解されて移送管７ｃを介し流入した処理水を沈殿物と上澄み液とに分離する。この上澄み液の一部は、消毒槽９で消毒装置９ａに備えた塩素系等の薬品により消毒されて排水口９ｂからタンク１ａ外に排水される。また、上澄み液の他部は、エアリフト８ａにより汲み上げられ、分水計量装置１１で流量調整され、返送管８ｂを介して電解式汚水処理装置１０に移送される。
【００２２】
電解式汚水処理装置１０は、槽１０ａ内を仕切壁１２により２槽に分離し、一方を窒素除去用電解槽１３、他方をリン除去用電解槽１４としている。
窒素除去用電解槽１３は、処理水中の窒素化合物を電解処理して窒素ガスを発生させて排出することにより窒素を除去するものである。窒素除去用電解槽１３は、返送管８ｂを槽１０ａの側壁に接続している。また、窒素除去用電解槽１３の内部には、一対の電極１５が設けられている。電極１５は、周期律表の第Ｉｂ族又は第IIｂ族を含む導電体若しくは同族を導電体に被覆したものからなるカソード１５ａと、不溶性金属からなる塩素イオン発生可能なアノード１５ｂとから構成されている。カソード１５ａを構成する具体的金属材料としては、銅と亜鉛の合金或いは燒結合金、銅と鉄の合金或いは燒結合金、銅とニッケルの合金或いは燒結合金、又は銅とアルミニウムの合金或いは燒結合金から構成されている。また、アノード１５ｂを構成する不溶性金属には、白金、イリジウム、パラジウム又はその酸化物などから構成される不溶性金属又はカーボンが用いられている。なお、この不溶性金属の表面には塩素イオンを発生させる触媒が塗布されている。
【００２３】
また、リン除去用電解槽１４は、処理水中のリンを難溶性リン化合物として堆積し、排出するものである。リン除去用電解槽１４は、第１嫌気濾床槽５への処理水流出管を槽１０ａの側壁に接続している。また、リン除去用電解槽１４の内部には、一対の鉄電極１６ａ、１６ｂからなる電極１６と散気管１７とが設けられている。散気管１７は、図示しないブロワから空気が送られることにより、散気管１７の管壁に設けられた空気吹出口から空気を吹き出し、鉄電極１６ａ、１６ｂ表面の生物膜や硝酸イオン等に起因する不動態膜等の膜を除去する。
【００２４】
上記のように構成された電解式汚水処理装置１０においては、処理水である沈殿槽８の上澄み液が返送管８ｂを介して窒素除去用電解槽１３に送られる。電極１５をオンとし、カソード１５ａ及びアノード１５ｂに通電されると、カソード１５ａ側では、処理水中に含まれる硝酸イオンが還元反応により亞硝酸イオンに変換される（反応Ａ）。また、硝酸イオンの還元反応により生成された亞硝酸イオンは、更に、還元反応によりアンモニアに変換される（反応Ｂ）。以下に反応Ａ及び反応Ｂを示す。
反応Ａ  ＮＯ3-＋Ｈ2Ｏ＋２ｅ-→ＮＯ2-＋２ＯＨ-
反応Ｂ  ＮＯ2-＋５Ｈ2Ｏ＋６ｅ-→ＮＨ3（ａｑ）＋７ＯＨ-
【００２５】
一方、アノード１５ｂ側ではアノード１５ｂの表面から活性酸素や次亜塩素酸が発生し、これにより処理水中におけるアンモニアの脱窒作用により窒素ガスを生成する（反応Ｃ乃至反応Ｆ）。以下に反応Ｃ乃至反応Ｆを示す。
0003939173.tif 000002
【００２６】
これにより、処理水中の硝酸性窒素、亞硝酸性窒素及びアンモニア性窒素などの窒素化合物を窒素ガスとして放出し、窒素除去を行っている。
【００２７】
次ぎに、窒素除去用電解槽１３で窒素化合物が除去され処理水は、槽１０ａの下方の連通口からリン除去用電解槽１４に流入する。鉄電極１６ａ、１６ｂの何れか一方をアノード、他方をカソードとなるように電圧を印加すると、アノードで２価の鉄イオン（Ｆｅ2+）が生成される。
そして、アノードで生成された２価の鉄イオン（Ｆｅ2+）は、空気により酸化されて３価の鉄イオン（Ｆｅ3+）となる。３価の鉄イオン（Ｆｅ3+）は処理水中のオルトリン酸と反応し、難溶性のリン酸化合物としてリン除去用電解槽１４の底部に凝集沈殿する。このようにしてリン除去用電解槽１４の底部に凝集沈殿した難溶性のリン酸化合物が槽１０ａ外に排出することにより、リン除去が行われている。
【００２８】
リン除去用電解槽１４の処理水は、処理水流出管５ｄから第１嫌気濾床槽５に返送される。第１嫌気濾床槽５に返送された処理水中の３価の鉄イオン（Ｆｅ3+）は、第１嫌気濾床槽５内に存在するオルトリン酸と反応し、難溶性のリン酸化合物として凝集沈殿する。この凝集沈殿した難溶性のリン酸化合物が槽外に排出されることによりリンが除去される。なお、鉄電極１６ａ、１６ｂは、各電極を略均一に減少させて同時に交換できるようにするために、所定時間毎に規則的に極性を反転させている。
【００２９】
実施の形態１は以上のように構成されているので、次のような効果を奏する。実施の形態１に係る汚水処理施設は、処理水中の有機物を嫌気性微生物により嫌気分解する嫌気濾床槽５、６と、嫌気濾床槽５、６で嫌気処理された処理水を好気性微生物により好気分解する接触ばっ気槽７と、接触ばっ気槽７で好気分解された処理水を沈殿物と上澄み液とに分離する沈殿槽８と、沈殿槽８で分離された上澄み液を電解処理して窒素及びリンを除去する電解式汚水処理装置１０と、この電解式汚水処理装置１０で処理された処理水を第１嫌気濾床槽５に返送する処理水流出管５ｄとを備えているので、生物処理による窒素化合物の除去と、電解処理によるリン除去及び窒素化合物の除去とを同時に行うことができる。
【００３０】
また、窒素化合物の除去は、電解処理によっても行われるので、従来の汚水処理装置における生物処理のみにより窒素化合物を除去する方法のように、外気温度が低下する冬場に窒素化合物の処理能力が低下するおそれがない。
また、リンの除去は、電解により窒素化合物を処理する場合に発生する硝酸イオン及び亞硝酸イオンが窒素除去用電解槽１３内において還元反応によりアンモニアに変化されるので、後段側のリン除去用電解槽１４において硝酸イオン及び亞硝酸イオンにより鉄電極１６ａ、１６ｂが不動態化されることがなく、長期間にわたり効率良く行われる。
【００３１】
また、窒素除去用電解槽１３とリン除去用電解槽１４とを仕切壁１２により分離した一体の槽として形成し、窒素除去用電解槽１３側に返送管８ｂを接続し（返送管８ｂの接続は、本発明における処理水流入管を意味する）、前記リン除去用電解槽側に処理水流出管５ｄを設けているので、電解式汚水処理装置の構成を簡略化することができ、コストを軽減することができる。
また、リン除去用電解槽１４の底部に凝集物や汚泥を堆積するスペースを有しているので、リン除去用電解槽１４で発生した難溶性リン化合物等からなる凝集物や汚泥をリン除去用電解槽１４の底部から容易に廃棄することができる。
【００３２】
実施の形態２．
次に、この発明を汚水処理施設に具体化した実施の形態２について図５〜図８に基づいて説明する。実施の形態２に係る汚水処理施設は、図１に係る処理施設において電解式汚水処理装置１０に代えて以下に説明する電解式汚水処理装置２０を用いたものである。また、電解式汚水処理装置２０以外は実施の形態１と同一であるので以下の説明では、電解式汚水処理装置２０のみを説明する。
なお、図５は実施の形態２に係る汚水処理施設に用いる電解式汚水処理装置の正面から見た構成図であり、図６は同電解式汚水処理装置における還元反応用電解槽の側断面図であり、図７は同電解式汚水処理装置における窒素及びリン除去用電解槽の側断面図であり、図８は同電解式汚水処理装置における電極の配線図である。また、実施の形態１と同一の部分には同一の符号を付し、その説明を省略する。
【００３３】
電解式汚水処理装置２０は、槽２０ａ内を仕切壁２２により２槽に分離し、一方を還元反応用電解槽２３、他方を窒素及びリン除去用電解槽２４としている。還元反応用電解槽２３は、処理水中の硝酸イオンを還元反応により亞硝酸イオンに変換し、亞硝酸イオンを還元反応によりアンモニアに変換するものである。還元反応用電解槽２３は、返送管８ｂを槽２０ａの側壁に接続している。また、還元反応用電解槽２３の内部には、一対の電極２５が設けられている。電極２５は、周期律表の第Ｉｂ族又は第IIｂ族を含む導電体若しくは同族を導電体に被覆したものからなるカソード２５ａと、不溶性金属からなるアノード２５ｂとを備えている。そして、カソード２５ａにおいて硝酸イオン及び亞硝酸イオンが還元反応によりアンモニアに変換される。カソード２５ａを構成する具体的金属材料としては、銅と亜鉛の合金又は燒結合金、銅と鉄の合金又は燒結合金、銅とニッケルの合金又は燒結合金、銅とアルミニウムの合金又は燒結合金から構成されている。また、アノード２５ｂを構成する不溶性金属には、白金、イリジウム、パラジウム又はその酸化物などから構成される不溶性金属又はカーボンが用いられる。なお、この場合の不溶性金属の表面には塩素イオンを発生させる触媒を塗布していない。
【００３４】
また、窒素及びリン除去用電解槽２４は、処理水中のアンモニアを脱室作用により窒素ガスに変換して放出し、リンを難溶性リン化合物として堆積して排出するものである。窒素及びリン除去用電解槽２４は、第１嫌気濾床槽５への処理水流出管５ｄを槽２０ａの側壁に接続している。また、窒素及びリン除去用電解槽２４の内部には、一組の電極２６と散気管２７とが設けられている。
【００３５】
電極２６は、一方の電極を、鉄電極２６ａ及びこの鉄電極２６ａと対向する位置に配置された不溶性金属からなる塩素イオン発生可能な電極２６ｂとしている。これら電極２６ａ、２６ｂは、図８に示すように、同一の極性となるように電源に接続されている。また、他方の電極２６ｃは、板状鉄電極２８と板状不溶性金属電極２９を接合したものであって、不溶性金属電極２９の表面には塩素イオンを発生させる触媒が塗布されている。そして、電極２６ａ、２６ｂと電極２６ｃ間では所定の時間をおいて極性を反転するように構成されている。
【００３６】
散気管２７は、図示しないブロワから空気が送られることにより、散気管２７の管壁に設けられた空気吹出口から空気を吹き出し、電極２６ａ、２６ｂ、２６ｃの表面に付着する生物膜や硝酸イオン等に起因する不動態膜等の膜を除去する。
【００３７】
上記のように構成された電解式汚水処理装置２０においては、処理水である沈殿槽８の上澄み液が返送管８ｂを介して還元反応用電解槽２３に送られてくる。電極２５に通電すると、カソード２５ａ側では、処理水中に含まれる硝酸イオンが還元反応により亞硝酸イオンに変換される（前記反応Ａ）。また、硝酸イオンの還元反応により生成された亞硝酸イオンは、更に、還元反応によりアンモニアに変換される（前記反応Ｂ）。
【００３８】
このように処理水中の硝酸イオン及び亞硝酸イオンが還元反応によりアンモニアに変換された処理水は、槽２０ａ下方部の連通口を介して窒素及びリン除去用電解槽２４に送られる。
【００３９】
窒素及びリン除去用電解槽２４では、電極２６が通電されることにより、アノードとして作用する不溶性金属電極２６ｂ又は２９の表面から活性酸素や次亜塩素酸が発生し、これにより処理水中におけるアンモニアの脱窒作用により窒素ガスを生成する（前記反応Ｃ乃至反応Ｆ）。この窒素ガスを放出して窒素除去を行っている。
【００４０】
また、アノードとして作用する鉄電極２６ａ又は２８で２価の鉄イオン（Ｆｅ2+）が生成される。そして、生成された２価の鉄イオン（Ｆｅ2+）は、空気により酸化されて３価の鉄イオン（Ｆｅ3+）となる。３価の鉄イオン（Ｆｅ3+）は処理水中のオルトリン酸と反応し、難溶性のリン酸化合物としてリン除去用電解槽１４の底部に凝集沈殿する。このようにして窒素及びリン除去用電解槽２４の底部に凝集沈殿した難溶性のリン酸化合物を槽２０外に排出することにより、リン除去が行われる。
【００４１】
実施の形態２は以上のように構成されているので、実施の形態１の場合と同様、次のような効果を奏する。
実施の形態２に係る汚水処理施設は、生物処理による窒素化合物の除去と、電解処理によるリン除去及び窒素化合物の除去とを同時に行うことができる。また、窒素化合物の除去は、電解処理によっても行われるので、従来の汚水処理装置における生物処理のみにより窒素化合物を除去する方法のように、外気温度が低下する冬場に窒素化合物の処理能力が低下するおそれがない。また、リンの除去は、処理水中の硝酸イオン及び亞硝酸イオンが還元反応用電解槽２３内において還元反応によりアンモニアに変化されてしまうので、後段側の窒素及びリン除去用電解槽２４において硝酸イオン及び亞硝酸イオンにより鉄電極が不動態化されることがなく、長期間にわたり効率良く行われる。また、窒素及びリン除去用電解槽２４の底部に凝集物や汚泥を堆積するスペースが設けられているので、窒素及びリン除去用電解槽２４で発生した難溶性リン化合物等からなる凝集物や汚泥を窒素及びリン除去用電解槽２４の底部から容易に廃棄することができる。
【００４２】
なお、この発明は、次のように変更して具体化することも可能である。
（１）実施の形態１における電解式汚水処理装置１０の仕切壁１２は、窒素除去用電解槽１３とリン除去用電解槽１４とを槽１０ａの下部で連通するようにしているが、この仕切壁１２を図９のように、窒素除去用電解槽１３とリン除去用電解槽１４とを槽１０ａの上部で連通するような仕切壁３２に変更してもよい。
【００４３】
（２）実施の形態１及び２では、各電極１５、１６、２５、２６を一対又は一組としていたが、これを複数対又は複数組として処理能力を増大させることもできる。
【００４４】
（３）実施の形態１及び２において、嫌気濾床槽５、６は他の形式の嫌気槽でもよい。また、接触ばっ気槽７は生物膜処理槽などの他形式の好気槽としてもよい。また、接触ばっ気槽７に代わり生物膜処理槽を用いる場合は、沈殿槽８を処理水槽とする。
【００４５】
【発明の効果】
この発明は、以上のように構成されているため、次のような効果を奏することができる。
本発明によれば、窒素化合物の除去は、電解処理により行われるので、従来の汚水処理装置における生物処理のみによる窒素化合物の除去方法のように、外気温度が低下する冬場に窒素化合物の処理能力が低下するおそれがない。
また、リン除去は、リン除去を行う電解槽の前工程をなす電解槽において、硝酸イオン及び亞硝酸イオンが還元反応によりアンモニアに変化されているので、リン除去を行う電解槽の鉄電極が硝酸イオン及び亞硝酸イオンにより不動態化されることがなく、長期間にわたり効率良くリンが除去される。
【図面の簡単な説明】
【図１】本発明の実施の形態１に係る汚水処理施設に用いる汚水処理施設の全体構成図である。
【図２】同汚水処理施設に用いられている電解式汚水処理装置の正面から見た構成図である。
【図３】同電解式汚水処理装置における窒素除去用電解槽の側断面図である。
【図４】同電解式汚水処理装置におけるリン除去用電解槽の側断面図である。
【図５】実施の形態２に係る汚水処理施設に用いる電解式汚水処理装置の正面から見た構成図である。
【図６】同電解式汚水処理装置における還元反応用電解槽の側断面図である。
【図７】同電解式汚水処理装置における窒素及びリン除去用電解槽の側断面図である。
【図８】同電解式汚水処理装置における電極の配線図である。
【図９】実施の形態１における電解式汚水処理装置の変形例であり、図２に相当するものである。
【符号の説明】
１     汚水処理施設
５     嫌気濾床槽
５ｄ   処理水流出管
６     嫌気濾床槽
７     接触ばっ気槽
８     沈殿槽
８ｂ   返送管
１０   電解式汚水処理装置
１０ａ 槽
１３   窒素除去用電解槽
１４   リン除去用電解槽
１５   電極
１５ａ カソード
１５ｂ アノード
１６   電極
１６ａ 鉄電極
１６ｂ 鉄電極
１７   散気管
２０   電解式汚水処理装置
２０ａ 槽
２３   還元反応用電解槽
２４   リン除去用電解槽
２５   電極
２５ａ カソード
２５ｂ アノード
２６   電極
２６ａ 鉄電極
２６ｂ 不溶性金属電極
２８   板状鉄電極
２９   板状不溶性金属電極
３２   仕切壁
【図１】
0003939173.tif 000003
【図２】
0003939173.tif 000004
【図３】
0003939173.tif 000005
【図４】
0003939173.tif 000006
【図５】
0003939173.tif 000007
【図６】
0003939173.tif 000008
【図７】
0003939173.tif 000009
【図８】
0003939173.tif 000010
【図９】
0003939173.tif 000011